(57)【要約】【課題】スライド木枠の高さ位置の調整が容易で長期間に亘ってスライド木枠の高さ位置を安定して保持でき、打鍵時に衝撃音が生じないようにする。【解決手段】上記課題を解決するために本発明のピアノ鍵盤のシフト装置１は棚板７と、前筬１７、中筬１９、後筬２１及び筬妻２３を備えるスライド木枠９と、スライド木枠９をスライドさせるシフト手段１１と、スライド木枠９の棚板７に対する高さ位置を調整する高さ位置調整手段１３とを具備し、高さ位置調整手段１３をポイントベースピン３１と、シフトガイドスクリュー３５と、ベーススクリュー４１とを備える構成にしてスライド木枠９を棚板７に対して非接触状態でスライドできるようにしている。【選択図】        図４
2008257107.tif 000002
【特許請求の範囲】
【請求項１】
鍵盤とアクションとが一体に組み付けられている状態で左右方向にスライドする構造のピアノに対して適用されるピアノ鍵盤のシフト装置において、
棚板と、該棚板上に載置され、鍵盤とアクションとが一体に組み付けられている状態で左右方向にスライドする前筬、中筬、後筬及び筬妻とによって構成されているスライド木枠と、該スライド木枠をスライドさせるためのシフト手段と、前記スライド木枠の棚板に対する高さ方向の位置調整を行う高さ位置調整手段とを備えており、
高さ位置調整手段はスライド木枠の基準高さを設定するポイントベースピンと、スライド木枠の左右方向への移動を案内すると共に、スライド木枠の棚板に対する高さ位置を設定するシフトガイドスクリューと、該シフトガイドスクリューによって設定したスライド木枠の棚板に対する高さ位置を保持するベーススクリューとを有し、スライド木枠は棚板に対して非接触状態でスライドするように構成されていることを特徴とするピアノ鍵盤のシフト装置。
【請求項２】
請求項１に記載したピアノ鍵盤のシフト装置において、前記シフトガイドスクリューは前記ポイントベースピンの近傍に設けられていることを特徴とするピアノ鍵盤のシフト装置。
【請求項３】
請求項１または２に記載したピアノ鍵盤のシフト装置において、前記スライド木枠には前記シフトガイドスクリューを受け入れて、シフトガイドスクリューと係合することによってスライド木枠の左右方向への移動を案内するガイド長穴が形成されていることを特徴とするピアノ鍵盤のシフト装置。
【請求項４】
請求項３に記載したピアノ鍵盤のシフト装置において、前記シフトガイ
ドスクリューには遊転可能な状態でガイドローラが設けられており、当該ガイドローラを介して前記ガイド長穴とシフトガイドスクリューとが摺接するように構成されていることを特徴とするピアノ鍵盤のシフト装置。
【請求項５】
請求項１〜４のいずれかに記載したピアノ鍵盤のシフト装置において、前記ポイントベースピンとシフトガイドスクリューは前筬と後筬の左右位置と中間位置に設けられており、前記ベーススクリューは前記ポイントベースピンとシフトガイドスクリューが設けられている前筬と後筬の部位の中間部と、中筬の複数の部位に対して設けられていることを特徴とするピアノ鍵盤のシフト装置。
【請求項６】
請求項１〜５のいずれかに記載したピアノ鍵盤のシフト装置における高さ位置調整手段を使用して行うピアノ鍵盤のシフト装置の調整方法において、
前筬、中筬、後筬及び筬妻を一体に組み付けたスライド木枠に対してポイントベースピンを下方より圧入して取り付けるポイントベースピン取付け工程と、前記スライド木枠に対して上方よりベーススクリューを捩じ込みながら挿入し、ベーススクリューの下端面をスライド木枠の下面と面一にするベーススクリュー仮固定工程と、前記スライド木枠を棚板上に載せてシフトガイドスクリューを締め込んで行き、スライド木枠の棚板に対する高さ位置を設定するシフトガイドスクリュー締付け工程と、鍵盤とアクションとをスライド木枠に組み付け、ベーススクリューを更に捩じ込んで行き、ベーススクリューの下端面を棚板の上面に当接させてスライド木枠の高さ位置を保持するベーススクリュー捩込み調整工程とを備えていることを特徴とするピアノ鍵盤のシフト装置の調整方法。
【発明の詳細な説明】
【技術分野】
【０００１】
本発明は、調整が容易で打鍵時の衝撃音の生じないピアノ鍵盤のシフト装置及び該ピアノ鍵盤のシフト装置の調整方法に関するものである。
【背景技術】
【０００２】
ピアノ鍵盤のシフト装置は棚板と、「筬」と呼ばれているスライド木枠と、スライド木枠をスライドさせるためのシフト手段と、上記スライド木枠の棚板に対する高さ方向の位置調整を行う高さ位置調整手段とを備えている。
図６は従来のピアノ鍵盤のシフト装置の一例を示す縦断側面図である。従来のピアノ鍵盤のシフト装置ではスライド木枠１０１における前筬１０３と後筬１０５とに下方に突出した凸部１０７が設けられており、該凸部１０７の下端面が棚板１０９上を摺接することでスライド木枠１０１の左右方向（図６では紙面と直交する方向）へのスライドを行っていた。
【０００３】
しかしながら、棚板１０９とスライド木枠１０１は基本的に木材で作られているため、温度、湿度及び外力の影響を受けて、どうしても微妙に反りや捩れが出てしまう。このため、スライド木枠１０１の凸部１０７と棚板１０９との間に隙間ができて打鍵時にスライド木枠１０１の下面が棚板１０９の上面を打って衝撃音を発生させてしまったり、円滑なスライドが期待できなくなってしまったりするおそれがある。
また棚板１０９とスライド木枠１０１の微妙な高さ方向の位置調整を行う従来の高さ位置調整手段１１１としては、図６に示すようなシフトガイドアジャストプレート１１３と、アジャストガイドローラ１１５と、アジャストプレートポイント１１７と、内側と外側に設けられる２種類のアジャストプレート取付けネジ１１９、１２１とを備える手段が使用されていた。
【０００４】
この高さ位置調整手段１１１によってスライド木枠１０１の棚板１０９に対する高さ位置を調整する場合、棚板１０９に埋め込んだアジャストプレートポイント１１７の上面にシフトガイドアジャストプレート１１３の下方に突出した突部１２３を当て、これにより２本のアジャストプレート取付けネジ１１９、１２１の締付け具合を調整することでアジャストガイドローラ１１５にかかる力を変えてスライド木枠１０１の棚板１０９に対する微妙な高さ調整を行っていた。
しかし、このようにシフトガイドアジャストプレート１１３をシーソーのように動作させるので、スライド木枠１０１の前筬１０３と後筬１０５に回転方向の力を加えてしまうことになり、このため高精度の高さ位置の調整ができないおそれもある。
【０００５】
また上記高さ位置調整手段１１１によって高さ方向の位置調整を行ったスライド木枠１０１の姿勢を維持するためのベーススクリュー１２５は図示のように前筬１０３と後筬１０５には設けられておらず、高さ位置調整手段１１１から離れた中筬１０４のみに設けられていた。
従って、２本のアジャストプレート取付けネジ１１９、１２１が微妙に緩んでしまった場合にはスライド木枠１０１の基準の高さ位置がずれてしまい、スライド木枠１０１と棚板１０９との間に隙間ができて打鍵時にスライド木枠１０１の下面が棚板１０９の上面に当接して衝撃音を発生させるおそれもある。
【発明の開示】
【発明が解決しようとする課題】
【０００６】
本発明は上記背景技術が抱えていた問題点の存在を踏まえてなされたものであって、スライド木枠１０１の高さ位置の調整が容易で、調整後のスライド木枠１０１の高さ位置が長期間に亘って安定して保持することができ、打鍵時の衝撃音の生じないピアノ鍵盤のシフト装置及びピアノ鍵盤のシフト装置の調整方法を提供することを解決しようとする課題とする。
【課題を解決するための手段】
【０００７】
上記課題を解決するために、請求項１に記載した発明は、鍵盤とアクションとが一体に組み付けられている状態で左右方向にスライドする構造のピアノに対して適用されるピアノ鍵盤のシフト装置において、棚板と、該棚板上に載置され、鍵盤とアクションとが一体に組み付けられている状態で左右方向にスライドする前筬、中筬、後筬及び筬妻とによって構成されているスライド木枠と、該スライド木枠をスライドさせるためのシフト手段と、前記スライド木枠の棚板に対する高さ方向の位置調整を行う高さ位置調整手段とを備えており、高さ位置調整手段はスライド木枠の基準高さを設定するポイントベースピンと、スライド木枠の左右方向への移動を案内すると共に、スライド木枠の棚板に対する高さ位置を設定するシフトガイドスクリューと、該シフトガイドスクリューによって設定したスライド木枠の棚板に対する高さ位置を保持するベーススクリューとを有し、スライド木枠は棚板に対して非接触状態でスライドするように構成されていることを特徴とするピアノ鍵盤のシフト装置である。
【０００８】
請求項２に記載した発明は、請求項１に記載したピアノ鍵盤のシフト装置において、前記シフトガイドスクリューは前記ポイントベースピンの近傍に設けられていることを特徴とするピアノ鍵盤のシフト装置である。
【０００９】
請求項３に記載した発明は、請求項１または２に記載したピアノ鍵盤のシフト装置において、前記スライド木枠には前記シフトガイドスクリューを受け入れて、シフトガイドスクリューと係合することによってスライド木枠の左右方向への移動を案内するガイド長穴が形成されていることを特徴とするピアノ鍵盤のシフト装置である。
【００１０】
請求項４に記載した発明は、請求項３に記載したピアノ鍵盤のシフト装置において、前記シフトガイドスクリューには遊転可能な状態でガイドローラが設けられており、当該ガイドローラを介して前記ガイド長穴とシフトガイドスクリューとが摺接するように構成されていることを特徴とするピアノ鍵盤のシフト装置である。
【００１１】
請求項５に記載した発明は、請求項１〜４のいずれかに記載したピアノ鍵盤のシフト装置において、前記ポイントベースピンとシフトガイドスクリューは前筬と後筬の左右位置と中間位置に設けられており、前記ベーススクリューは前記ポイントベースピンとシフトガイドスクリューが設けられている前筬と後筬の部位の中間部と、中筬の複数の部位に対して設けられていることを特徴とするピアノ鍵盤のシフト装置である。
【００１２】
請求項６に記載した発明は、請求項１〜５のいずれかに記載したピアノ鍵盤のシフト装置における高さ位置調整手段を使用して行うピアノ鍵盤のシフト装置の調整方法において、前筬、中筬、後筬及び筬妻を一体に組み付けたスライド木枠に対してポイントベースピンを下方より圧入して取り付けるポイントベースピン取付け工程と、前記スライド木枠に対して上方よりベーススクリューを捩じ込みながら挿入し、ベーススクリューの下端面をスライド木枠の下面と面一にするベーススクリュー仮固定工程と、前記スライド木枠を棚板上に載せてシフトガイドスクリューを締め込んで行き、スライド木枠の棚板に対する高さ位置を設定するシフトガイドスクリュー締付け工程と、鍵盤とアクションとをスライド木枠に組み付け、ベーススクリューを更に捩じ込んで行き、ベーススクリューの下端面を棚板の上面に当接させてスライド木枠の高さ位置を保持するベーススクリュー捩込み調整工程とを備えていることを特徴とするピアノ鍵盤のシフト装置の調整方法である。
【発明の効果】
【００１３】
本発明のピアノ鍵盤のシフト装置によれば、スライド木枠と棚板は非接触状態で設けられ、棚板上面に摺接するのは加工精度の高い金属性材料によって形成されているポイントベースピンの下端面とベーススクリューの下端面であるからスライド木枠１０１の高さ位置を長期間に亘って適正な位置に保つことができる。
またシフトガイドスクリューをスライド木枠の基準高さを設定するポイントベースピンの近傍に設けた場合には、ポイントベースピンの棚板からの微妙な浮きを棚板やスライド木枠の反り等の影響を受けないで防止することができる。
【００１４】
スライド木枠にシフトガイドスクリューと係合するガイド長穴を設けた場合には上記シフトガイドスクリューによるポイントベースピンの浮きを防止する機能に加えて、スライド木枠の左右方向へのスライドを可能にする。
またシフトガイドスクリューに対してガイドローラを設けた場合には、スライド木枠のガイド長穴に対してガイドローラが転がり接触するためスライド木枠の左右方向へのスライドが円滑になる。
【００１５】
ポイントベースピンとシフトガイドスクリューを前筬と後筬の左右位置と中間位置の６ヶ所に設け、ベーススクリューを上記ポイントベースピンとシフトガイドスクリューの間と中筬の複数の部位に対して設けた場合には、スライド木枠の適正な高さ位置が長期に亘って確実に保持されるようになる。
本発明のピアノ鍵盤のシフト装置の調整方法によれば、ポイントベースピンによってスライド木枠の基準高さが定まっているので、シフトガイドスクリューによるスライド木枠の棚板に対する高さ位置の設定が容易になる。
【発明を実施するための最良の形態】
【００１６】
以下、本発明のピアノ鍵盤のシフト装置とピアノ鍵盤のシフト装置の調整方法を実施するための最良の形態として図１〜５に示す実施の形態を例に採って具体的に説明する。
本発明のピアノ鍵盤のシフト装置１とピアノ鍵盤のシフト装置の調整方法は白鍵３と黒鍵５によって構成される２種類の鍵盤と、ダンパーアクションとハンマーアクションによって構成されるアクションとが一体に組み付けられている状態で左右方向Ｘにスライドする構造を有するアップライトピアノやグランドピアノに対して適用される。
【００１７】
ピアノ鍵盤のシフト装置１は棚板７と、棚板７上を左右方向Ｘにスライドする「筬」と呼ばれているスライド木枠９と、スライド木枠９をスライドさせるシフト手段１１と、スライド木枠９の棚板７に対する高さ方向Ｚの位置調整を行う高さ位置調整手段１３とを備えている。
棚板７は鍵盤を構成する白鍵３と黒鍵５を支持する水平に配置される平板状の部材であり、棚板７の上面の両端部からは上方に向けて腕木１５、１５が立ち上げられている。
棚板７の上面の後部にはダンパーレバーレールサポート２５が上方に向けて立ち上げられている。
【００１８】
スライド木枠９は左右方向Ｘに平行して配置される前筬１７と、中筬１９と、後筬２１と、前後方向Ｙに配置される３枚の筬妻２３とを一体に組み付けることによって構成されている。
スライド木枠９の後筬２１には図示のようにアクションを支持するアクションブラケット２７を取り付けるためのアクション取付け台２９が設置されている。
スライド木枠９の前筬１７と後筬２１には左右位置と中間位置の計６ヶ所に後述する高さ位置調整手段１３の構成部材であるポイントベースピン３１を下方から圧入するための圧入口３３と、シフトガイドスクリュー３５を上方から受け入れるガイド長穴３７とが近傍位置にそれぞれ設けられている。
【００１９】
ガイド長穴３７は左右方向Ｘに延びる段差状の長穴で口径の大きな上部の長穴でシフトガイドスクリュー３５の頭部を受け入れ、口径の小さな下部の長穴で後述するガイドローラ３９が外嵌めされた状態のシフトガイドスクリュー３５の軸部を受け入れることができるようになっている。
またスライド木枠９には上記６対設けられる圧入口３３とガイド長穴３７とのそれぞれの中間位置に５個と、中筬１９に対して５個の計１０個の後述するベーススクリュー４１と螺合するネジ孔４３が設けられている。
【００２０】
シフト手段１１は図示しないペダルを踏み込むことによって動作するシフトレバー突上げ棒４５と、シフトレバー突上げ棒４５の上端部に設けられるシフトレバー４７と、上方に移動したシフトレバー４７を元の位置に戻す高さ方向Ｚに設けられるシフトスプリング４９と、左右方向Ｘに設けられるシフト補助スプリング５１とを備えている。
シフトレバー４７の先端部５３は９０°折り曲げられて棚板７に形成されている貫通口５５から棚板７上に突出するようになっており、棚板７上に位置するスライド木枠９における後筬２１に対して連結されている。
【００２１】
高さ位置調整手段１３はスライド木枠９の基準高さを設定するポイントベースピン３１と、スライド木枠９の左右方向Ｘへの移動を案内すると共に、スライド木枠９の棚板７に対する高さ位置を設定するシフトガイドスクリュー３５と、シフトガイドスクリュー３５によって設定したスライド木枠９の棚板７に対する高さ位置を保持するベーススクリュー４１とを有している。
ポイントベースピン３１は一例として真鍮製の下部に頭部５７を有する丸棒状のピンで、軸部の中心にはポイントベースピン３１をスライド木枠９に固定するためのポイントベースピン固定ネジ５９と螺合するネジ孔６１が刻設されている。
【００２２】
シフトガイドスクリュー３５は一例として真鍮製の木ネジ形状をした部材で、シフトガイドスクリュー３５の頭部側に位置する軸部の上部には雄ネジが刻設されていない摺接面６３が形成されている。
そして摺接面６３に外嵌めされるようにして上部にフランジを有するガイドローラ３９が遊転可能な状態で取り付けられている。
従ってシフトガイドスクリュー３５とガイド長穴３７は直接摺接することはなく、上記ガイドローラ３９を介して転がり接触するように構成されている。
【００２３】
ベーススクリュー４１は上部に締付け工具と係合させるための係合溝６５が形成され、外方に張り出すような頭部を有しない一例として真鍮製の止めネジ状の形状をした部材である。
ベーススクリュー４１の下端面６７は棚板７の上面に摺接する摺接面になっており、上記ポイントベースピン３１の頭部５７の下端面同様、平滑に形成されている。
従って本発明ではスライド木枠９と棚板７とが直接摺接する部分は設けられておらず、ポイントベースピン３１の頭部５７の高さと、上記ベーススクリュー４１のスライド木枠９の下面から突出する突出量とによって定まる隙間Ｓを隔てて非接触状態でスライド木枠９と棚板７は設けられている。
【００２４】
そして、スライド木枠９に形成された上記圧入口３３とガイド長穴３７との配置とも関係してシフトガイドスクリュー３５はスライド木枠９の棚板７に対する基準高さを設定するポイントベースピン３１の近傍に設けられるようになっている。
本発明ではシフトガイドスクリュー３５を締め付けて行くことによってスライド木枠９には直接高さ方向Ｚの下方への力が作用し、上述のようにポイントベースピン３１の近傍位置にシフトガイドスクリュー３５が設けられているから従来のピアノ鍵盤のシフト装置において問題になっていたような回転方向の力はほとんどスライド木枠９には作用しない。
【００２５】
次にこのような構成のピアノ鍵盤のシフト装置１を使用して行う本発明のピアノ鍵盤のシフト装置の調整方法について説明する。
本発明のピアノ鍵盤のシフト装置の調整方法は（１）ポイントベースピン取付け工程と、（２）ベーススクリュー仮固定工程と、（３）シフトガイドスクリュー締付け工程と、（４）ベーススクリュー捩込み調整工程とを順次実行することによって構成されている。
【００２６】
（１）ポイントベースピン取付け工程
ポイントベースピン取付け工程は前筬１７、中筬１９、後筬２１及び筬妻２３を一体に組み付けたスライド木枠９に対してポイントベースピン３１を下方より圧入して取り付ける工程である。
ポイントベースピン３１の取り付けに当たっては上述したポイントベースピン固定ネジ５９を使用し、上方からポイントベースピン３１の軸部の端面に刻設されているネジ孔６１にポイントベースピン固定ネジ５９を挿入して締め付けて行くことによってポイントベースピン３１の取り付けが実行される。
【００２７】
（２）ベーススクリュー仮固定工程
ベーススクリュー仮固定工程はスライド木枠９に対して上方からベーススクリュー４１を捩じ込みながら挿入し、ベーススクリュー４１の下端面６７をスライド木枠９の下面と面一にする工程である。
即ち、ベーススクリュー４１をスライド木枠９に形成されているネジ孔４３に挿入し、係合溝６５に締付け工具を係合させて回して行くことによってネジ孔４３内にベーススクリュー４１を進入させスライド木枠９の下面からベーススクリュー４１が突出しない面一の状態にする。
【００２８】
（３）シフトガイドスクリュー締付け工程
シフトガイドスクリュー締付け工程はスライド木枠９を棚板７上に載せてシフトガイドスクリュー３５を締め込んで行き、スライド木枠９の棚板７に対する高さ位置を設定する工程である。
即ち、シフトガイドスクリュー３５の摺接面６３にガイドローラ３９を外嵌めさせた状態でシフトガイドスクリュー３５をガイド長穴３７に上方から挿入し、締め込んで行くことによって下方の棚板７に対してシフトガイドスクリュー３５を固定する。
シフトガイドスクリュー３５の締付け具合は微妙であり、スライド木枠９の円滑なスライドが可能な範囲内で、ポイントベースピン３１の頭部５７の下端面と棚板７の上面との隙間を限りなく０に近付けるように調整する。
【００２９】
（４）ベーススクリュー捩込み調整工程
ベーススクリュー捩込み調整工程は鍵盤を構成する白鍵３と黒鍵５とアクションとをスライド木枠９に組み付け、ベーススクリュー４１を更に捩じ込んで行き、ベーススクリュー４１の下端面６７を棚板７の上面に当接させてスライド木枠９の高さ位置を保持する工程である。
即ち、組立てが完了したアクションを支持した状態のアクションブラケット２７をアクション取付け台２９の上面に設置すると共に、白鍵３と黒鍵５をベーススクリュー４１が取り付けられている個所を除いてスライド木枠９に嵌め込んで行く。
この状態でスライド木枠９の円滑なスライドが可能な範囲内で、ベーススクリュー４１の下端面６７と棚板７の上面との隙間を限りなく０に近付けるようにベーススクリュー４１の捩込み具合を調整する。
【００３０】
以上、本発明を実施するための最良の形態として図示の実施の形態を例に採って詳述してきたが、本発明の具体的構成は図示の実施の形態に限定されるものではなく、本発明の要旨から外れない範囲での設計変更等があっても本発明に含まれる。
例えば、ポイントベースピン３１と、シフトガイドスクリュー３５と、ベーススクリュー４１の数と配置は前述した円滑なピアノ鍵盤のシフト装置１の調整ができる範囲で増減することが可能である。
【産業上の利用可能性】
【００３１】
本発明は鍵盤とアクションとが一体に組み付けられている状態で左右方向にスライドする構造のピアノの製造、使用分野等で利用でき、特に打鍵時に生ずる棚板に対するスライド木枠の衝撃音を排除したい場合に利用可能性を有する。
【図面の簡単な説明】
【００３２】
【図１】本発明の実施の形態に係るピアノ鍵盤のシフト装置を示す斜視図である。
【図２】本発明の実施の形態に係るピアノ鍵盤のシフト装置を示す平面図（ａ）と縦断正面図（ｂ）である。
【図３】本発明の実施の形態に係るピアノ鍵盤のシフト装置の要部を拡大して示す分解斜視図である。
【図４】本発明の実施の形態に係るピアノ鍵盤のシフト装置の要部を拡大して示す平面図（ａ）と縦断正面図（ｂ）である。
【図５】本発明の実施の形態に係るピアノ鍵盤のシフト装置を示す縦断側面図である。
【図６】従来のピアノ鍵盤のシフト装置を示す縦断側面図である。
【符号の説明】
【００３３】
１  ピアノ鍵盤のシフト装置          ３  白鍵
５  黒鍵                            ７  棚板
９  スライド木枠                  １１  シフト手段
１３  高さ位置調整手段              １５  腕木
１７  前筬                          １９  中筬
２１  後筬                          ２３  筬妻
２５  ダンパーレバーレールサポート
２７  アクションブラケット          ２９  アクション取付け台
３１  ポイントベースピン            ３３  圧入口
３５  シフトガイドスクリュー        ３７  ガイド長穴
３９  ガイドローラ                  ４１  ベーススクリュー
４３  ネジ孔                        ４５  シフトレバー突上げ棒
４７  シフトレバー                  ４９  シフトスプリング
５１  シフト補助スプリング          ５３  先端部
５５  貫通口                        ５７  頭部
５９  ポイントベースピン固定ネジ    ６１  ネジ孔
６３  摺接面                        ６５  係合溝
６７  下端面                        
Ｘ  左右方向                        Ｙ  前後方向
Ｚ  高さ方向                        Ｓ  隙間
【図１】
2008257107.tif 000003
【図３】
2008257107.tif 000004
【図５】
2008257107.tif 000005
【図６】
2008257107.tif 000006
【図２】
2008257107.tif 000007
【図４】
2008257107.tif 000008